Podtech/llm-jp-corpus-v4-ja_patent huggingface dataset:
(57)【要約】【課題】電圧を印加したとき、泳動槽１に収容した緩衝液に気泡が生じてもこれにより攪拌されたり、ＰＨに変化を生じたりすることを防ぐとともに、電極８を容易に張設でき、かつ、これにたるみなどの不具合を生じない泳動装置の構造を提案するにある。【解決手段】泳動槽１は、中央部に担体を載置するゲルベッド２を凸設し、該ゲルベッド２を挟んで２枚の隔壁５を互いに平行に立設するための嵌合部３を底部および又は側壁に設け、前期隔壁５は、方形の板状に形成し、下部には切欠部６を単数又は複数設けるとともに、複数の突起７を突設し、該突起７には張結孔８を穿って電極９を張設して該電極９が泳動槽１の側壁面に対向するように前記嵌合部３へ嵌着してある。隔壁５の幅は、泳動槽１の側壁に僅かな間隙を存して収容可能な大きさとする。【選択図】図１
2006030150.tif 000002
【特許請求の範囲】
【請求項１】
泳動槽１は、中央部に担体を載置するゲルベッド２を凸設し、該ゲルベッド２を挟んで２枚の隔壁５を互いに平行に立設するための嵌合部３を底部および又は側壁に複数設け、前記隔壁５は方形の板状に形成し、下部には切欠部６を単数又は複数設けるとともに、複数の突起７を突設し、該突起７には張結孔８を穿って電極９を張設して該電極９が泳動槽１の側壁面に対向するように前記嵌合部３へ嵌着したことを特徴とする泳動装置の構造
【発明の詳細な説明】
【技術分野】
【０００１】
本発明は、生体試料の分離、分析などに用いる電気泳動装置の構造の改良に関するものである。
【背景技術】
【０００２】
分子生物学および臨床検査などの分野において、生体試料の性質を調査するため、試料を設置した担体の両端に電圧を印加して試料を分離、分析する電気泳動方法がひろく行われている。
【０００３】
上記方法に用いる電気泳動装置には種々の方式のものがあるが、主にＤＮＡをはじめとする核酸の分離などに使用される、試料の支持体となる平板状ゲル（例えば、アガロースゲルなど。以下「担体」という。）を緩衝液中に水平に設置して、緩衝液を介して担体に電圧を印加する方式、いわゆる水平サブマリン型が扱いが容易なため普及している。
【０００４】
従来のこの方式による装置の例を説明すると、担体を水平に設置可能とするとともに緩衝液を収容する泳動槽は、中央部に担体を設置する平面形状が矩形状のゲルベッドを備え、該ゲルベッドを挟んで泳動槽の両下端内側に電圧を印加するための陰、陽電極すなわち白金線を平行に張設してある。この方式の欠点は、電源に接続し、電圧を印加したとき、緩衝液に気泡を生じ緩衝液のＰＨに変化をきたし、試料の分離、分析に精密さを欠く点にある。すなわち、該白金線に電流を通じたとき、その発熱により緩衝液に気泡を生ずることがあり、該気泡により緩衝液が攪拌され、或いはＰＨが変化するなどの障害が生まれるからである。また、前記電極として張設される白金線の固定が十分になされていないときは、たるみを生じる不具合も避けられず、たるみを生じたまま泳動を行えばＤＮＡなどの精密な分析に支障を来たすことになる。
【特許文献１】特開２００３−１１４２１６号公報
【発明の開示】
【発明が解決しようとする課題】
【０００５】
解決しようとする問題点は、前記電極に容易にたるみを生ずることのないよう安定して白金線を固定できるとともに、気泡による攪拌を防ぐ手段を泳動槽に設ける点にある。
【課題を解決するための手段】
【０００６】
本発明は、泳動槽に前記電極の張設を簡易な手段で、容易かつ十分に行い得るとともに、生ずる気泡を遮断して、これによる障害を防ぐことができる着脱可能な隔壁を設けることを主要な特徴とする。
【発明の効果】
【０００７】
前記隔壁は、泳動槽に着脱可能に構成したから、電極の張設は容易であり、かつ、これがゆるんでいるか否かを容易に確認でき、もしゆるんでいた場合容易に補修できる。また、電極の発熱によって緩衝液に気泡が生じても、隔壁によって気泡の散乱を防ぎ、前記支障を回避できる。
【発明を実施するための最良の形態】
【０００８】
前記隔壁は、下部に切欠部を設け緩衝液は阻害することなく、気泡のみを隔離可能に構成したので、気泡による緩衝液の攪拌を防止することができる。
【実施例１】
【０００９】
図１は、本発明の実施例の概要を示す斜視図であり、図２は図１Ａ−Ａ線断面を模型的に示す端面図であり、図３は隔壁５に電極９を張設した状態を示す斜視図である。緩衝液１１を収容する泳動槽１は、中央部に担体１０を載置するゲルベッド２を平面形状を例えば矩形状に凸設し、該ゲルベッド２を挟んで平行に隔壁５を立設可能とするため、底部および又は側壁に嵌合部３を設ける。隔壁５は、幅を前記泳動槽１の側壁に僅かな間隙を存して収容可能な大きさとし、高さを泳動槽１に収容する緩衝液１１の所望の深さを超える、方形の板状に形成し、下部に緩衝液流通経路として切欠部６を適宜の大きさおよび数設け、かつ、図示するように、該切欠部６より低部に電極９を張設するための突起７を突設し、該突起７に電極９の張結孔８を穿設する。このようにすれば、コネクター４を介して電源（図示しない。）から電極９へ通電し、気泡１２が生じても、隔壁５を超えて流入することはない。
【図面の簡単な説明】
【００１０】
【図１】実施例の概要を示す斜視図である。
【図２】図１Ａ−Ａ線断面を模型的に示す端面図である。
【図３】隔壁５に電極９を張設した状態を示す斜視図である。
【符号の説明】
【００１１】
１    泳動槽
２    ゲルベッド
３    嵌合部
４    コネクター
５    隔壁
６    切欠部
７    突起
８    張結孔
９    電極
１０    担体
１１    緩衝液
１２    気泡
【図１】
2006030150.tif 000003
【図２】
2006030150.tif 000004
【図３】
2006030150.tif 000005
(57)【要約】【課題】  従来、給油取扱所の火気使用禁止区域内で土壌中の気体等の採取・調査のため物質採取装置は電気設備を使用するため、装置の四方を仮設防火塀又は、簡易的に防炎シートで囲み火気使用禁止区域から隔離する必要があったが、仮設防火塀又は、簡易的な防炎シートの敷設は手間や時間がかかるという欠点があった。【解決手段】  本発明給油取扱所土壌中の物質採取装置は、給油取扱所土壌中の物質採取用の採取孔にその先端を挿入した採取管と、この採取管の基部に気密に接続した可撓性捕集バッグと、この捕集バッグを挿入した減圧ボックスと、この減圧ボックスに連通した非電動式の減圧ポンプとよりなることを特徴とする。【選択図】  図１
2006030113.tif 000002
【特許請求の範囲】
【請求項１】
給油取扱所土壌中の物質採取用の採取孔にその先端を挿入した採取管と、この採取管の基部に気密に接続した可撓性捕集バッグと、この捕集バッグを挿入した減圧ボックスと、この減圧ボックスに連通した非電動式の減圧ポンプとよりなることを特徴とする給油取扱所土壌中の物質採取装置。
【発明の詳細な説明】
【技術分野】
【０００１】
本発明は給油取扱所土壌中の物質採取装置、特に給油取扱所等の火気使用禁止区域で使用する給油取扱所土壌中の土壌ガスや地下水等の物質を採取する装置に関するものである。
【背景技術】
【０００２】
従来、土壌中に穿孔し密閉されたガス捕集空間中の土壌ガスを自然拡散により捕集し、導管を通じて着脱可能に接続した注射筒型吸引器具によりサンプリングする装置は例えば特許文献１に記載のように既知である。
【特許文献１】特開２００１−２２１７２４号（図１）。
【発明の開示】
【発明が解決しようとする課題】
【０００３】
然しながら、上記従来のサンプリング装置では手間や時間がかかるのみならず完全に行うことは困難で、安全性に問題があった。
【０００４】
また、従来の物質採取装置のうち電気設備を使用するものでは、給油取扱所の火気使用禁止区域内の土壌中の気体等の採取・調査では装置の四方を仮設防火塀又は、簡易的に防炎シートで囲み火気使用禁止区域から隔離する必要があったが、仮設防火塀又は、簡易的に防炎シートの敷設は手間や時間がかかるという欠点があった。
【０００５】
本発明は上記の欠点を除くようにしたものである。
【課題を解決するための手段】
【０００６】
本発明の給油取扱所土壌中の物質採取装置は、給油取扱所土壌中の物質採取用の採取孔にその先端を挿入した採取管と、この採取管の基部に気密に接続した可撓性捕集バッグと、この捕集バッグを挿入した減圧ボックスと、この減圧ボックスに連通した非電動式の減圧ポンプとよりなることを特徴とする。
【発明の効果】
【０００７】
本発明の給油取扱所土壌中の物質採取装置においては、極めて安全且つ容易にガスを捕集でき、また、電気設備を使用しないので火災を生ずる恐れがないという大きな利益がある。
【発明を実施するための最良の形態】
【０００８】
以下図面によって本発明の実施例を説明する。
【実施例１】
【０００９】
図１は本発明の土壌中の土壌ガスや地下水等の物質を採取する装置を示し、１は深さ０．８〜１ｍの採取孔、２は上記採取孔１に挿入した採取孔崩れ防止用の保護管、３は上記保護管２の管頭を密栓したゴム栓、４はその先端を上記ゴム栓３を貫通して、上記保護管２内に挿入した採取管、５は上記採取管４の基部に気密に接続せしめた可撓性合成樹脂フィルム製の土壌ガス等の捕集バッグ、６は上記捕集バッグ５を挿入した減圧ボックス、７は上記減圧ボックスに連結した非電動式手動減圧ポンプである。
【００１０】
本発明の給油取扱所土壌中の物質採取装置における非電動式手動減圧ポンプ７は例えば図２に示すように、上下両端開口を蓋８ａ，８ｂによって塞いだ筒状のピストンシリンダ９と、このピストンシリンダ９内に上下動自在に設けたピストン１０と、上記蓋８ａを通して上記ピストン１０に連結しこれを上下動せしめるピストンロッド１１と、上記ピストンロッド１１に設けたハンドル部１２と、上記ピストン１０によって区画された上記ピストンシリンダ９の上室１３と下室１４と、上記上室１３の上部に設けた、上記上室１３内の空気を室外にのみ排出可能な逆止弁１５及び上記上室１３外の空気を室内にのみ吸引可能な逆止弁１６と、上記下室１４の下部に設けた、上記下室１４内の空気を室外にのみ排出可能な逆止弁１７及び上記下室１４外の空気を室内にのみ吸引可能な逆止弁１８と、上記逆止弁１６及び１８にその一端を気密に接続せしめ、他端を上記減圧ボックス６に気密に接続せしめた導管１９とよりなる。
【００１１】
本発明の給油取扱所土壌中の物質採取装置は上記のような構成であるから、上記手動減圧ポンプ７のハンドル部１２を手で下方に押し下げて上記ピストン１０を下方に移動せしめれば、上記上室１３の上記逆止弁１５は閉じ、上記逆止弁１６は開き、上記逆止弁１６を介して上記減圧ボックス６の空気が上記上室１３内に吸引されるようになる。また、上記下室１４の上記逆止弁１７が開き、上記逆止弁１８が閉じ、上記逆止弁１７を介して上記下室１４内の空気が外部に排出される。この結果、上記減圧ボックス６内が減圧される。
【００１２】
また、上記手動減圧ポンプ７のハンドル部１２を手で上方に押し上げて上記ピストン１０を上方に移動せしめれば、上記上室１３の上記逆止弁１５は開き、上記逆止弁１６が閉じ、上記逆止弁１５を介して上記上室１３の空気を外部に排出することができ、また、このとき上記下室１４の上記逆止弁１７が閉じ、上記逆止弁１８が開き、上記逆止弁１８を介して上記減圧ボックス６の空気を上記下室１４に吸引することができ、同じく上記減圧ボックス６内を減圧することができる。
【００１３】
上記減圧ボックス６が減圧されると上記減圧ボックス６に挿入した可撓性捕集バッグ５が膨脹してその内部が負圧となり、上記捕集バッグ５に接続した上記採取管４の先端から上記採取孔１内の土壌ガス等が吸引され、上記捕集バッグ５内に土壌ガス等が捕集されるようになる。
【００１４】
土壌ガス等を捕集した捕集バッグ５は減圧ボックス６の蓋を開いて取り出す。
【００１５】
上記のように本発明の給油取扱所土壌中の物質採取装置よれば可撓性捕集バッグの膨脹、収縮を利用してガスを吸入するので極めて簡単且つ安全であり、また電気設備を使用せず、上記手動減圧ポンプ７のハンドル部１２を手で上下に移動せしめることによって上記捕集バッグ５に土壌ガスを捕集することができるようになる。
【図面の簡単な説明】
【００１６】
【図１】本発明の給油取扱所土壌中の物質採取装置の説明図である。
【図２】本発明の給油取扱所土壌中の物質採取装置の手動減圧ポンプの縦断側面図である。
【符号の説明】
【００１７】
１    採取孔
２    保護管
３    ゴム栓
４    採取管
５    捕集バッグ
６    減圧ボックス
７    手動減圧ポンプ
８ａ  蓋
８ｂ  蓋
９    ピストンシリンダ
１０    ピストン
１１    ピストンロッド
１２    ハンドル部
１３    上室
１４    下室
１５    逆止弁
１６    逆止弁
１７    逆止弁
１８    逆止弁
１９    導管
【図１】
2006030113.tif 000003
【図２】
2006030113.tif 000004
(57)【要約】【課題】箱など立方形容器の底の内巾寸法が正確に測定できる機能を付加した寸法測定用メジャー（通称コンベックス）を提供する。【解決手段】コンベックス本体後部に内巾寸法の測定点に密着出来るようにした直角端面部とメジャー引き出し部に目盛り読み取り点を設け、直角端面部と目盛り読み取り点までの長さを既存の目盛りに加算した内巾寸法専用目盛りをメジャーに追加表示することにより正確な内巾寸法の測定を可能にしたことを特徴とする。【選択図】    図１
2006030152.tif 000002
【特許請求の範囲】
【請求項１】
コンベックス本体の後部に、測定面に密着できるよう底面に対して垂直な端面部を設け、メジャー引き出し部に寸方読み取り点を設け、垂直な端面部と寸方読み取り点までの長さを既存のメジャー目盛りに加算した目盛りを別個追加表示した、内巾寸法測定を兼ねたコンベックス。
【発明の詳細な説明】
【技術分野】
【０００１】  当考案は、建築で寸法測定に用いられている通称コンベックスに関するもので、立方形の容器底や本棚奥などの内巾寸法を正確に測定するための機能を付加したものである。
【背景技術】
【０００２】  従来品の、コンベックスは、測定対象物の外巾寸法の測定が前提であった。
【発明の開示】
【発明が解決しようとする課題】
【０００３】  従来品で内巾寸法Ｂ（１２）を測定する場合、内側コーナー左部（８）には、メジャー先端部（６）を当てることが出来るが、内側コーナー右部（９）に対しては、メジャー（４）の材質が主にスチール製であるため湾曲（１３）してのＲ形状となり直接メジャーをあてがって目盛りを読み取る事が出来ない。〔図面２〕その結果、正確な測定が出来ず当発明は、この問題点を解決するためになされたものである。
【問題を解決するための手段】
【０００４】  コンベックス本体（１）後部の直角端面部（２）をメジャー（４）を直接当てるのが不可能な内側コーナー右部（９）に、密着できるようにコンベックス本体（１）の底面に対して直角な形状にする。メジャー引きだし口（７）に目盛り読み取り点（１０）を設け、直角端面部（２）までの長さＡ（１１）を既存の目盛り（５）に加算した目盛りを内巾寸法専用目盛り（３）としてメジャー上に追加表示する。〔図４〕
【発明の効果】
【０００５】（イ）  内巾寸法が正確に測定できる。
（ロ）  使用感覚も外巾測定と同様であり、コンベックスの本体形状の大きな変更も無く、また他の補助器具を用いることなく使用できる。
【発明を実施するための最良の形態】
【０００６】（イ）  直角端面部（２）を設ける。その形状は、測定対象物の内側コーナー右部（９）に密着できるようにコンベックス本体（１）の底面に対して垂直の端面を設け底面も平坦にして安定化を計る。〔図１〕
（ロ）  本体メジャー引き出し口（７）に目盛り読み取り点（１０）を設ける。〔図５〕
（ハ）  メジャー（４）に内巾寸法専用の目盛り（３）を表示する、その目盛りの設定は、直角端面部（２）から寸法読み取り点（１０）までの長さＡ（１１）を既存の目盛り（５）に加算した数値としてそれを表示する。その時、既存の目盛り（５）毎に対して表示するので色分けや丸線で囲うなどして識別し易くする。〔図４〕
本発明は、以上のような構成で、使用方法は、以下の順序となる。
▲１▼測定対象物の内側コーナー左部（８）にメジャー先端（６）を当て保持し、次に内側コーナー右部（９）に直角端面部（２）をあてがう。〔図３〕その状態で
▲２▼内巾寸法専用目盛り（３）を目盛り読み取り点（１０）で読み取る。〔図５〕
【図面の簡単な説明】
【０００７】
【図１】当発明の前方、後方の斜視図である。
【図２】従来品での使用状態を示す側面図である。
【図３】当考案品での使用状態を示す側面図である。
【図４】メジャー目盛り部の正面図である。
【図５】メジャー引き出し口の斜視図である。
【符号の説明】
【０００８】    １  コンベックス本体
２  直角端面部
３  内巾寸法専用目盛り
４  メジャー部
５  メジャー既存の目盛り
６  メジャー先端
７  メジャー引きだし口
８  内側コーナー左部
９  内側コーナー右部
１０  寸法読み取り点
１１  本体の角部（２）から寸法読み取り点（１０）までの長さＡ
１２  内巾寸法Ｂ
１３  メジャー湾曲部
【図１】
2006030152.tif 000003
【図２】
2006030152.tif 000004
【図３】
2006030152.tif 000005
【図４】
2006030152.tif 000006
【図５】
2006030152.tif 000007
(57)【要約】【課題】従来は壁面に垂直線を出すとき下げブリ（おもりの付いた糸）やレベル機により垂直線引きをしている。下げブリは風や糸のねじれによりいつまでも揺れて静止するまで時間がかかる。レベル機は床に水平に据え付けなくてはならないためスペースがなければ使用できず、また使用が出来ても壁面の辺りが足場などの障害物があれば不可能であり他の作業工程がある中での墨出しは素早くしなくてはならない。【解決手段】発明機を壁面の必要な場所より下に下げ、発明機の部分の水球を水平機の中心に合わすと垂直線が決まる。【選択図】図１
2006030154.tif 000002
【特許請求の範囲】
【請求項１】
本発明は一般建築工事で、垂直線を決めるとき簡単に線引きができる機械である。
【請求項２】
本発明の下げ糸は細いナイロン系のワイヤーを使用し伸び縮みがなく、糸切れしない。
【請求項３】
下げ糸巻機もリール形であり巻き上げや糸下げも簡単である。
【請求項４】
下げブリの上部の周囲に水平機が取り付けられ発明機を手で持ち、水平機の気泡を中心に合わすだけで垂直線が決められる。
【発明の詳細な説明】
【技術分野】
【０００１】本発明は、壁面の垂直墨出しに関する事
【背景技術】
【０００２】従来壁面の垂直線の墨出しは、さげブリという糸の下に重りが付いたものを垂らして静止させて印しを付けるもの、又はレベル機を床面に水平に取り付け垂直墨を出しをするものがある。この機械は場所も必要になり足場などの障害物がある場合は使用できず垂直の墨出しは時間がかかるのである。
【発明の開示】
【発明が解決しょうとする課題】
【０００３】垂直墨を時間をかけず早く出すこと
【課題を解決するための手段】
【０００４】本発明は垂直墨を早く出すことを目的とし、従来の下げづりを扇形にして扇の上の部分にメモリ付きの小さな水平機を四方に取り付け扇の半分よりしたをおもりにする。
【０００５】垂らし糸は細いワイヤー系にして伸縮しない物を使用し、ワイヤーは手動により巻き上げ糸下げができる。
【０００６】糸巻き機の中心は糸を垂らして固定させる穴があり、壁面に打込針により固定させるとき使用する。
【０００７】扇形ブリの下の部分には三角形の金具が付けられ折りたたみ式になっており、床面に垂直墨の印をつけるとき三角形の中心が垂直線の接点になる。
【発明の効果】
【０００８】本発明機を使用することによりむだな動力が無くなりスピーディーに壁面の墨出しが可能である。
【発明の実施するための最良の形態】
【０００９】本発明の形態を図１〜図４に基づいて説明する。
【００１０】図において
１１  扇形ブリ形態である。
３  メモリ付水平機である扇形ブリの四方に取り付けてある。
４  垂らし糸であるこの糸はワイヤー系でできている。
８  垂直線を床に印す時に使用するまた使用しないときは上部にたたみ込める。
１３  糸巻き機で手動で巻き上げができる。
ア  ストッパーで必要な長さで止めることがてできる。
イ  中心の穴は糸巻き機を壁面に取り付けるときに打込み針で固定する時に使用する。
図４  打込み針の形態である。
【図面の簡単な説明】
【００１１】図１  本発明の実施形態図を正面から見た図
図２  本発明を横から見た図
図３  糸巻き機を正面より見た図
図４  糸巻き機を固定させる打込み針の形態
【符号の説明】
【００１２】  １  本発明の形態
３  水平メモリ機
１  メモリ機内の水球
１３  糸巻き機
４  ワイヤー糸
８  垂直線を床に印する時の金具
【図１】
2006030154.tif 000003
【図２】
2006030154.tif 000004
【図３】
2006030154.tif 000005
【図４】
2006030154.tif 000006
(57)【要約】【課題】高圧送電線設備の点検必要箇所にカメラを近づけて、至近距離から安全に且つ的確に撮影することができる高圧送電線設備の撮影装置を提供すること。【解決手段】絶縁棒３の先端部のフレーム１１にカメラ１２を装着する。フレーム１１から前方へ延出する絶縁性の棒状体２３を被撮影部の近傍の任意部材に押し当てることにより、カメラ１２の焦点距離を確保するとともに、カメラ１２のふらつきを防止する。そこで作業者Ｐは絶縁棒３の手許まで延出する線状体２０を手前に引くと、フレーム１１の上部のレバー１７は下方へ揺動し、その突起部１７ａによりシャッター１９は押され、被撮影部Ａは至近距離から撮影される。【選択図】図２
2006030553.tif 000002
【特許請求の範囲】
【請求項１】
絶縁棒と、絶縁棒の先端部に連結されたフレームと、フレームに保持されたカメラと、フレームの上部に設けられて上下方向へ揺動することによりカメラのシャッターの押圧を行うレバーと、レバーから下方のガイド部ヘ導出し、ガイド部から絶縁棒の手許まで延出するシャッター操作用の線状体と、フレームから前方へ延出する絶縁性の棒状体とから成ることを特徴とする高圧送電線設備の撮影装置。
【発明の詳細な説明】
【技術分野】
【０００１】
本発明は、高圧送電線鉄塔に設けられたがいしや高圧変電所の諸設備などの高圧送電線設備の撮影装置に関するものである。
【背景技術】
【０００２】
高圧送電線設備には、がいしの洗浄、送電線鉄塔の塗装などの様々なメンテナンスが必要である。このため、がいしの汚れの程度、鉄塔部材の腐触や塗装の剥げ落ちの程度などの点検が必要である。また洗浄作業や塗装作業が終了したならば、洗浄や塗装がしっかり行われたかどうかを点検する必要がある。
【０００３】
ところが、がいしなどの上記諸点検が必要な箇所は高圧送電線が通っていることもあって甚だ危険であり、作業者は容易に近づけない。そこで従来は、作業者は望遠レンズ付きカメラを携行し、これにより必要箇所を遠方から撮影していた。
【発明の開示】
【発明が解決しようとする課題】
【０００４】
しかしながら上記従来方法ではクリアな写真を入手することは困難であり、上記諸点検を的確に行えないという問題点があった。
【０００５】
そこで本発明は、高圧送電線設備の点検必要箇所にカメラを近づけて、至近距離から安全且つ的確に撮影することができる高圧送電線設備の撮影装置を提供することを目的とする。
【課題を解決するための手段】
【０００６】
このために本発明は、絶縁棒と、絶縁棒の先端部に連結されたフレームと、フレームに保持されたカメラと、フレームの上部に設けられて上下方向へ揺動することによりカメラのシャッターの押圧を行うレバーと、レバーから下方のガイド部ヘ導出し、ガイド部から絶縁棒の手許まで延出するシャッター操作用の線状体と、フレームから前方へ延出する絶縁性の棒状体とから高圧送電線設備の撮影装置を構成した。
【発明の効果】
【０００７】
上記構成の本願発明によれば、作業者は絶縁棒を操作し、棒状体の先端部を被撮影部近傍の任意部材に押し当てることにより、カメラの焦点距離を確保するとともにカメラのふらつきを防止する。そこで手許の線状体を引けばレバーは揺動し、カメラのシャッターは押されて被撮影部は至近距離から撮影される。
【発明を実施するための最良の形態】
【０００８】
以下、本発明の実施の形態を図面を参照して説明する。図１は高圧送電線設備の撮影装置を用いて撮影中の全体側面図、図２はカメラユニットの斜視図、図３はカメラユニットの平面図である。
【０００９】
図１において、作業者Ｐは高圧送電線鉄塔１の部材２上に位置し、絶縁棒３の基端部を手に保持している。絶縁棒３の先端部にはヒンジ４が設けられている。ヒンジ４には支持体５が連結されており、支持体５の先端部にはカメラユニット１０が装着されている。図１において、作業者Ｐは、カメラユニット１０によりがいし６の被撮影部Ａを撮影しようとしている。がいし６は、高圧送電線７を保持している。
【００１０】
次に、図２及び図３を参照してカメラユニット１０を説明する。１１は支持体５上に支持された枠型のフレームであり、その内部にデジタルカメラなどのカメラ１２が保持されている。１３はレンズ、１４はフラッシュ、１５はファインダである。フレーム１１の上部には支柱１６が立設されている。支柱１６にはレバー１７が上下方向に揺動自在（回転自在）に軸支されている。
【００１１】
レバー１７はフレーム１１の側方へ延出しており、その途中には下方へ垂下する突起部１７ａが設けられている。突起部１７ａは、フレーム１１の上面に立設された円筒体１８の内部に挿入されており、その下端部はカメラ１２の上面に設けられたシャッター１９上に位置している。レバー１７の先端部からナイロン線などのシャッター操作用の線状体２０が下方へ垂下している。線状体２０は、フレーム１１の側面に設けられた円筒状のガイド部２１の内部へ導出し、９０°方向を変えてガイド部２１から絶縁棒３の手許へ延出している（図１）。図１において、絶縁棒３には線状体２０が不要に下方へ垂れ下るのを防止するための係止体２２が複数個所設けられている。
【００１２】
図２及び図３において、フレーム１１の下面には取付け部としてのブロック２２が装着されている。ブロック２２には細い棒状体２３の基端部が抜き差し自在に装着されている。棒状体２３はカメラユニット１０の前方へまっすぐ延出している。棒状体２３は、ＦＲＰのような絶縁性を有し、かつ剛性と強度を有する素材から成っている。
【００１３】
この高圧送電線設備の撮影装置は上記のような構成により成り、次にその取扱い方法を説明する。図１において、作業者Ｐは高圧送電線鉄塔１の部材２上に位置し、絶縁棒３の基端部を手に保持している。そして絶縁棒３を操作し、棒状体２３の先端部を被撮影部Ａの近傍の任意部材に押し当てる。ここで、棒状体２３の長さは、カメラ１２の焦点距離と略等しくしてある。また棒状体２３の先端部を任意部材に押し当てることにより、片持ちされた絶縁棒３の先端部のカメラユニット１０がふらつくのを防止する。そこで作業者Ｐが手許の線状体２０を手前に引くと、レバー１７は下方へ揺動し（図２の矢印Ｂ）、カメラ１２のシャッター１９は突起部１７ａに押され、被撮影部Ａは至近距離から撮影される。
【産業上の利用可能性】
【００１４】
本発明の高圧送電線設備の撮影装置によれば、作業者は危険な高圧送電線に近づくことなく、遠方の被撮影部にカメラを近づけて、正しい焦点距離で安全且つ的確に撮影することができる。また焦点距離を変更したい場合は、棒状体を別の長さのものと交換すればよい。
【図面の簡単な説明】
【００１５】
【図１】高圧送電線設備の撮影装置を用いて撮影中の全体側面図
【図２】カメラユニットの斜視図
【図３】カメラユニットの平面図
【符号の説明】
【００１６】
３  絶縁棒
６  がいし
１０  カメラユニット
１１  フレーム
１２  カメラ
１７  レバー
１７ａ  突起部
１９  シャッター
２０  線状体
２１  ガイド部
２３  棒状体
【図１】
2006030553.tif 000003
【図２】
2006030553.tif 000004
【図３】
2006030553.tif 000005
(57)【要約】【課題】  成膜中に材料の屈折率及びレートが変化しても、高精度な光学薄膜を製造すること。【解決手段】  光学薄膜の設計時に時間のパラメータを導入し、成膜時における材料の屈折率及び分散の時間変化、及び材料のレート変化を考慮し、所望の光学特性を得ること。【選択図】  図１
2006030459.tif 000002
【特許請求の範囲】
【請求項１】
光学薄膜の設計時に時間のパラメータを導入し、成膜時における材料の屈折率及び分散の時間変化、及び材料のレート変化を考慮し、所望の光学特性を得ることを特徴とする光学薄膜の設計方法。
【請求項２】
光学薄膜の設計時に時間のパラメータを導入し、成膜中の温度変化による材料の屈折率及び分散の変化、また、温度による材料のレート変化を考慮し、さらにその材料の成膜中の温度上昇をフィードバックさせて、所望の光学特性を得ることを特徴とする光学薄膜の設計方法。
【請求項３】
前記請求項１又は２の設計方法により設計されたことを特徴とする光学薄膜。
【発明の詳細な説明】
【技術分野】
【０００１】
本発明は、主に光学素子の表面にコーティングされる光学薄膜の設計方法に関するものである。
【背景技術】
【０００２】
従来、光学薄膜の設計時は、材料には一意の屈折率及びレートを想定しており、成膜中にそれが変化するとは考慮していなかった。なお、紫外域用の反射防止膜としては特許文献１及び２に記載されたものが知られている。
【特許文献１】特開平９−２５８００６号公報
【特許文献２】特開平１０−２６８１０６号公報
【発明の開示】
【発明が解決しようとする課題】
【０００３】
成膜中に基板温度が変化する場合や膜が柱状構造などの構造を持つ場合、材料の屈折率及びレートが変化する場合がある。このことは従来、設計時には考慮されていなかった。そのため、製造誤差として処理されており、設計値を高精度に反映して製造することは困難であった。そのため、熟練技師の直感や、経験など科学的には解明困難な部分に頼ることが多かった。
【課題を解決するための手段】
【０００４】
本発明は上記課題を鑑みなされたものであって、光学薄膜の設計時に時間のパラメータを導入し、成膜時における材料の屈折率及び分散の時間変化、及び材料のレート変化を考慮し、所望の光学特性を得ることを特徴としている。
【発明の効果】
【０００５】
本発明の設計方法を用いることにより、光学薄膜の設計時に、高精度に成膜された膜をシミュレートでき、生産性の向上をはかることができる。
【発明を実施するための最良の形態】
【０００６】
（実施例１）
体積が約９４０ｃｍ3の石英基板にＡｌ2Ｏ3、及びＳｉＯ2からなる多層反射防止膜をスパッタにて成膜する際、図１に示すように、成膜中に基板温度は、プラズマの影響等により室温から約１２０℃にまで上昇する。
【０００７】
このことをふまえ、Ａｌ2Ｏ3，ＳｉＯ2の成膜による温度上昇、及び温度による屈折率の変化およびレートの変化を、それぞれ図２と図３に示す。これは、単層膜ならびに多層膜成膜途中に、膜厚及び屈折率の測定を行い、割り出したものである。
【０００８】
以上の結果より、Ａｌ2Ｏ3，ＳｉＯ2はそれぞれ成膜温度により、レート、屈折率が変化するため、当初の設計値とは異なる光学特性を示す（図４）。
【０００９】
再度、Ａｌ2Ｏ3，ＳｉＯ2各材料の成膜時の温度上昇、および温度上昇による屈折率、レートの変化を考慮して設計し直し、多層膜を成膜した。その結果、図５に示すように、ほぼ設計値通りで、所望の光学特性が得られた。
【００１０】
（実施例２）
設計時のパラメータとして、分散定数、膜厚のほかに、時間のパラメータを加え、各材料の分散定数の時間変化、レートの変化を考慮する。ならびに基板となる材料と膜材料の熱容量、熱吸収量および熱源となりうるものの放出熱ｉの時間変化もパラメータとして加え、より現実の成膜に近い条件で設計する。
【００１１】
以上説明した実施例の設計方法により、設計値を製造に高精度に反映することが可能となり、超狭帯域フィルター等の高精度の光学薄膜の実用的な設計が可能となり、論理的生産が可能となる。
【図面の簡単な説明】
【００１２】
【図１】成膜時間と基板温度上昇の関係を示す図である。
【図２】Ａｌ2Ｏ3膜における成膜温度と屈折率、レートの関係を示す図である。
【図３】ＳｉＯ2膜における成膜温度と屈折率、レートの関係を示す図である。
【図４】成膜中の屈折率とレートの変化を考慮せずに設計し、製作した場合の分光光学特性を示す図である。
【図５】成膜中の屈折率とレートの変化を考慮して設計し、製作した場合の分光光学特性を示す図である。
【図１】
2006030459.tif 000003
【図２】
2006030459.tif 000004
【図３】
2006030459.tif 000005
【図４】
2006030459.tif 000006
【図５】
2006030459.tif 000007
(57)【要約】      （修正有）【課題】建物の窓を利用した新たな野外広告手段により、現状より充実した広告方法を提供する。【解決手段】広告を見る一般市民には、見やすく、また、景観を重視した広告をデザインの改等良により、場所の建物の所有者及び使用者には、デザインの改良の他、広告物の両面広告印刷、広告物が裏面に映らない広告物、フィルム形式による野外から目隠しになる広告物等により、両者に満足してもらえる広告内容及び広告物を作成する。【選択図】なし【特許請求の範囲】
【請求項１】
建物の形状、所有の形態及び使用の用途等を問わず、また、建物に付随する窓の形状等を問わず、道路、線路、海路、空路等に面する建物の窓及び道路、線路、海路、空路等より見える建物の窓に、建物の所有者又は使用者の許可の元、一時的及び半永久的等の期間を設定し、ポスター形式、シール形式及びフィルム形式等で、国及び各地方公共団体等の法律及び条例等の広告物の規制に該当しない広告物、又は、規制に該当する場合は規制に従い、許可の元、広告物を表示及び展示する方法と、また、その方法において、広告主と広告場所の建物の所有者又は使用者の仲介をし、広告主より対価を得、広告場所の建物の所有者及び使用者へ使用料の支払い、物の贈与又は無償にて広告物を表示及び展示する方法。
【発明の詳細な説明】
【技術分野】
【０００１】  本発明は、建物の窓を利用した広告を表示及び展示する方法に関する。
【背景技術】
【０００２】  現在、広告方法はインターネットを始め、近年、多種多様なものがあるが、野外広告において、依然、看板形式が大半である。
【発明の開示】
【発明が解決しようとする課題】
【０００３】  従来の看板形式による野外広告には、設置に至るまでに、設置場所、その周辺の設置に関する近隣への影響及び法規制等の多くの解決しなければならない問題があるため、広告の必要性に対して、現状、野外広告が充実しているとは言えない。
【課題を解決するための手段】
【０００４】  国及び多くの地方公共団体等の法律及び条例等の規制が少ない、建物の窓を利用した広告により、野外広告を現状より、充実させる。
【発明の効果】
【０００５】  この発明により、広告主には新たな広告手段を得、広告を見る一般市民には新たな情報収集手段を得、広告場所の建物の所有者及び使用者には新たな収入手段等を得られる。
【発明を実施するための最良の形態】
【０００６】  建物の窓を利用した広告において、広告を見る一般市民にとっては見やすい広告、広告場所の建物の所有者及び使用者にとっては窓を設置する室内空間を損なわない広告、この両方において満足してもらえる広告内容及び広告物でなければならない。【０００７】  広告を見る人にとっては見やすい広告として、見やすく、また、景観を重視した広告をデザインの改良等により解決が可能である。【０００８】  広告場所の建物の所有者及び使用者にとっては窓を設置する室内空間を損なわない広告として、デザインの改良の他、広告物の両面広告印刷、広告物が裏面に映らない広告物、フィルム形式による野外から目隠しになる広告物等により解決が可能である。
【手続補正書】
【提出日】平成17年2月18日(2005.2.18)
【手続補正１】
【補正対象書類名】特許請求の範囲
【補正対象項目名】請求項１
【補正方法】変更
【補正の内容】
【請求項１】
建物の形状、建物の所有の形態及び建物の使用の用途を問わず、また、建物に付随する窓の形状を問わず、道路、線路、海路、空路に面する建物の窓及び道路、線路、海路、空路より見える建物の窓に、建物の所有者又は使用者の許可の元、許可及び設定された期間、広告内容を油性インクを使用したインクジェット方式で印刷した樹脂を挟んだアルミ複合板、ポスター、シール及びフィルムで、国及び各地方公共団体の法律、条例の広告物の規制に該当しない広告物を表示及び展示する方法。
【手続補正２】
【補正対象書類名】特許請求の範囲
【補正対象項目名】請求項２
【補正方法】追加
【補正の内容】
【請求項２】
請求項１方法において、広告主と広告場所の建物の所有者又は使用者の仲介をし、広告主より対価を得、広告場所の建物の所有者及び使用者へ使用料の支払い、物の贈与又は無償にて広告物を表示及び展示する方法。
【手続補正書】
【提出日】平成17年5月30日(2005.5.30)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
建物の形状、建物の所有の形態及び建物の使用の用途を問わず、また、建物に付随する窓の形状を問わず、道路、線路、海路、空路に面する建物の窓及び道路線路、海路、空路より見える建物の窓に、建物の所有者又は使用者の許可の元、許可及び設定された期間、広告内容を油性インクを使用したインクジェット方式で印刷した樹脂を挟んだアルミ複合板、ポスター、シール及びフィルムで、国及び各地方公共団体の法律、条例の広告物の規制に該当しない広告物を表示及び展示する方法。
【請求項２】
請求項１方法において、広告主と広告場所の建物の所有者又は使用者の仲介をし、広告主より対価を得、広告場所の建物の所有者及び使用者へ使用料の支払い、物の贈与又は無償にて広告物を表示及び展示する方法。
【手続補正２】
【補正対象書類名】手続補正書
【補正対象項目名】手続補正２
【補正方法】削除
【補正の内容】
(57)【要約】      （修正有）【課題】従来、カメラ．望遠鏡、双眼鏡等の光学機器を使用する場合、例えば三脚に載設した双眼鏡を水平以上の仰角に上げて対象物を見ようとする時、直立した三脚に設けた双眼鏡の接眼レンズを中腰で覗くことが苦痛であり、三脚の上部に顔が当たり観察等に支障をきたすことがあった。従来の三脚の使用で撮影・観測等を行なう場合に生じる不都合を解決できる光学観察補助装置を提供する。【解決手段】アーチ状のマスト１の湾曲した内面に繊細なラックギア２を刻設し、該ラックギア２に仰角調整ダイヤル４に刻設したギア５を咬合させ、又は、アーチ状のマスト１の湾曲した内面と、仰角調整ダイヤル４先端部の外面を密着させ、アーチ状のマスト１にはブラケット３に刻設したラチェット８を経てブラケット３に一端を保持されたＵ字状のアーム７を摺回自在に設けた。【選択図】  図１
2006030930.tif 000002
【特許請求の範囲】
【請求項１】
アーチ状のマスト１の湾曲した内面に繊細なラックギア２を刻設し、該ラックギア２に仰角調整ダイヤル４に刻設したギア５を咬合させ、更にアーチ状のマスト１にはブラケット３に刻設したラチェット８を経てブラケット３に一端を保持されたＵ字状のアーム７を摺回自在に設けた、カメラ．望遠鏡．双眼鏡等の光学機器を載設する、光学観察補助装置。
【請求項２】
アーチ状のマスト１の湾曲した内面と、仰角調整ダイヤル４先端部の外面を密着させ、アーチ状のマスト１にはブラケット３に刻設したラチェット８を経てブラケット３に一端を保持されたＵ字状のアーム７を摺回自在に設けた、カメラ．望遠鏡．双眼鏡等の光学機器を載設する、光学観察補助装置。
【発明の詳細な説明】
【発明の詳細な説明】
【産業上の利用分野】
【０００１】  この発明は、カメラ．望遠鏡．双眼鏡等の光学機器を載設する光学観察補助装置に関するものである。
【背景技術】
【０００２】  従来より、カメラ．望遠鏡．双眼鏡等の光学機器を使用する場合三脚が使用されている。これらの場合、例えば双眼鏡を例にとれば三脚に載設した双眼鏡を水平以上の仰角に上げて対象物を見ようとする時、直立した三脚のポール上部に載設した双眼鏡の接眼レンズを中腰で覗くことが長時間の観察では苦痛であったり、又、仰角を極端に上方に向けた場合には三脚の上部に顔が当たり観察等に支障をきたすことがあった。
【発明が解決しようとする課題】
【０００３】  本発明は、上記のように従来の三脚の使用で撮影．観察等を行なう場合に生じる不都合を解決できる光学観察補助装置を提供する。
【課題を解決するための手段】
【０００４】  この手段は、アーチ状のマストの湾曲した内面に繊細なラックギアを刻設し、該ラックギアに仰角調整ダイヤルに刻設したギアを咬合させ、又は、アーチ状のマストの湾曲した内面と仰角調整ダイヤルの先端部外面とを密着させ、アーチ状のマストにはブラケットに刻設したラチェットを経てブラケットに一端を保持されたＵ字状のアームを摺回自在に設けた、カメラ．望遠鏡．双眼鏡等光学機器を載設する光学観察補助装置を提供することで課題を解決することができる。
【実施例】
【０００５】  本発明の請求項１の実施例を図面に基づき記述する。アーチ状のマスト１の湾曲した内面に繊細なラックギア２を刻設し、該ラックギア２に仰角調整ダイヤル４に刻設したギア５を咬合させ、アーチ状のマスト１にはブラケット３に刻設したラチェット８を経てブラケット３に一端を保持されたＵ字状のアーム７を摺回自在に設けた、カメラ．望遠鏡．双眼鏡等の光学機器を載設する光学観察補助装置である。【０００６】  Ｕ字状のアーム７は一端をブラケット３に保持されており、もう一端には双眼鏡の中央部を挟持するクランプ９が設けられている。双眼鏡の中央部を挟持したクランプ９は固定ボルト１０によって締着される。【０００７】  アーチ状のマスト１の湾曲した内面には繊細なラックギア２が刻設されており、このラックギア２は仰角調整ダイヤル４に刻設されたギア５と咬合している。【０００８】  仰角調整ダイヤル４はブラケット３とＵ字状のアーム７と共にピン１３で連接されており仰角調整ダイヤル４の回転を受けて咬合した双方のギアが作用し、ブラケット３はアーチ状のマスト１を昇降する。又、ブラケット３の両端には２個のガイドローラー６が回転自在に設けられており、アーチ状のマスト１の外面を支持している。更にブラケット３にはラチェット８が刻設してあり、このラチェット８を経てＵ字状アーム７の一端を摺回自在に保持している。【０００９】  アーチ状のマスト１の下部はアーチ状のマストのブラケット１１に固定され、このアーチ状のマストのブラケット１１は水平回転部１２に螺着されている。水平回転部１２の底部中央は凹状に螺刻されており三脚上部のボルトと螺合できる。【００１０】  本実施例は双眼鏡を載設した状態を示すものであるが、カメラを載設する場合には上記【０００６】に述べたクランプ９に図４のようなカメラ用のアダプター１４を挟持させればカメラ底部の凹状の螺刻と螺合できる。【００１１】  更に請求項２では、アーチ状のマスト１の湾曲した内面と仰角調整ダイヤル４の先端部外面とを密着させることで双方の摩擦により、Ｕ字状のアーム７を保持したブラケット３がアーチ状のマスト１を摩擦駆動で昇降する方式をとっている。
【発明の効果】
【００１２】  以上に説明したように本発明は、アーチ状のマストを特徴とするもので、このアーチの形状は写真撮影．天体地上観察等の際の、カメラ．双眼鏡．望遠鏡等の使用者の頭部と顔面の曲線に近似したアーチであり、本発明の実施例のＵ字状アームのクランプに双眼鏡を載設して観察等を行なう場合、仰角調整ダイヤルを回転させるだけで双眼鏡は観察者の頭部と顔面の曲線に沿ってアーチ状に昇降する為（図５参照）、観察者は従来の三脚使用時のように中腰になる必要はなく、又、三脚の上部に顔面を接近．接触させることもなく極めて快適で有効な観察等ができるものである。
【図面の簡単な説明】
【図１】本発明の見取図
【図２】アーチ状のマストと仰角調整ダイヤルの取付け関係を示す見取図
【図３】仰角調整ダイヤルの見取図
【図４】カメラ用アダプターの見取図
【図５】仰角と目の位置を示す説明図
【図６】双眼鏡を取付けた場合の見取図
【符号の説明】
１．アーチ状のマスト  ２．ラックギア  ３．ブラケット  ４．仰角調整ダイヤル  ５．ギア  ６．ガイドローラー  ７．Ｕ字状のアーム  ８．ラチェット  ９．クランプ１０．固定ボルト１１．アーチ状のマストのブラケット１２．水平回転部１３．ピン１４．カメラ用アダプター１５．双眼鏡１６．カメラ固定ボルト
【図１】
2006030930.tif 000003
【図２】
2006030930.tif 000004
【図３】
2006030930.tif 000005
【図４】
2006030930.tif 000006
【図５】
2006030930.tif 000007
【図６】
2006030930.tif 000008
(57)【要約】【課題】本発明はカラオケ装置の視聴者側にも映像装置を設けることにより、歌い手が歌っている時にも歌い手と視聴者との双方に映像が表示されるので、双方の一体感を増して盛り上げ、且つ、次の曲目を曲が流れる前に視聴者側に提示することができることになり、周りの人も気をもむこともなく、また、次に歌う人もあわてることもなく、且つ、曲の最初から歌うことを容易にし、場の雰囲気を途切れなくする。【解決手段】本発明は歌い手側の映像装置２を備えたカラオケ装置本体１に視聴者側の映像装置３を設置することにより、視聴者にも映像及び歌詞が表示され、歌い手と視聴者との一体感を向上させて盛り上がり、また、視聴者側の利便性の向上にも役立つ。【選択図】図１
2006030927.tif 000002
【特許請求の範囲】
【請求項１】
歌い手側と視聴者側との各々側に映像装置を備えたことを特徴とするカラオケ装置。
【発明の詳細な説明】
【技術分野】
【０００１】  本発明は、映像装置を有するカラオケ装置に関する。
【背景技術】
【０００２】  宴会場等に置かれている可搬型カラオケ装置は、歌い手側にのみ映像装置を装着していた。
【発明の開示】
【発明が解決しようとする課題】
【０００３】  映像装置が視聴者側にはないため、映像及び歌詞が視聴者には表示されないので、歌い手と視聴者との一体感がなく盛り上がりに欠ける。さらに、前の歌い手の曲が終わっても次の曲が何であるかも視聴者側にはわからないため、曲が始まってから次に歌う人があわてて駆けつけたり、場合によっては途中から歌い始めるということもあり、場の雰囲気が損なわれていた。
【課題を解決するための手段】
【０００４】  本発明は、映像装置を視聴者側にも設けることにより問題点を解決している。
【発明の効果】
【０００５】  上述の様に、本発明のカラオケ装置は歌い手側と視聴者側との各々に見えるように各々の映像装置を設けたので、双方の一体感が増して盛り上がり、しかも、次の曲目も曲が流れる前に視聴者側に表示されるので次に歌う人もあわてることもなく、また、曲の最初から歌うことが容易になり、場の雰囲気が途切れることもなくなる。
【発明を実施するための最良の形態】
【０００６】  カラオケ装置本体の上部に、２つの映像装置をほぼ背中合わせに設置する。
【実施例１】
【０００７】  以下、添付図面に従って一実施例を説明する。図１において、１はカラオケ装置本体。２は歌い手側の映像装置であり、カラオケ装置本体１に設置し、３は視聴者側の映像装置であり、カラオケ装置本体１に設置する。
【実施例２】
【０００８】  以下、添付図面に従って一実施例を説明する。図２において、１はカラオケ装置本体。２は歌い手側の映像装置であり、３は視聴者側の映像装置であり、これら歌い手側の映像装置２と視聴者側の映像装置３とは同じ大きさで一体的にし、カラオケ装置本体１に設置する。
【実施例３】
【０００９】  以下、添付図面に従って一実施例を説明する。図３において、１はカラオケ装置本体。２は歌い手側の映像装置であり、３は視聴者側の映像装置であり、これら歌い手側の映像装置２と視聴者側の映像装置３とは異なる大きさであって一体的にし、カラオケ装置本体１に設置する。
【図面の簡単な説明】
【００１０】
【図１】本発明のカラオケ装置の実施例を示す側面図である。
【図２】本発明のカラオケ装置の他の実施例を示す側面図である。
【図３】本発明のカラオケ装置の他の実施例を示す側面図である。
【符号の説明】
【００１１】１  カラオケ装置本体
２  歌い手側の映像装置
３  視聴者側の映像装置
【図１】
2006030927.tif 000003
【図２】
2006030927.tif 000004
【図３】
2006030927.tif 000005
(57)【要約】【課題】  用紙搬送負荷の小さな通常用紙で印刷を行う場合の紙送りモータで必要以上に消費されている電力の削除と紙送りモータの発熱の低減を目的としている。【解決手段】  上記課題は、従来と同じ特殊用紙まで対応する紙送りモータ駆動電流と通常用紙のみ対応する紙送りモータ駆動電流を用意して、プラテンとハンマバンク間のギャップを調整する偏芯カムの位相により切替え可能とすることで達成される。【選択図】          図１
2006044147.tif 000002
【特許請求の範囲】
【請求項１】
複数個の印字素子を搭載したハンマ機構部と、ハンマ機構部を桁方向に往復移動させるためのシャトル機構と、使用する印字用紙の厚さを設定するノブおよび設定されたノブ位置を感知する機構と、印字用紙を搬送する少なくとも１対のトラクタとトラクタを保持し駆動させるトラクタ駆動軸およびトラクタ駆動軸を回転させる動力を与える紙送りモータを有するドットプリンタにおいて、
上記使用する印字用紙の厚さを設定するノブの設定値により紙送りモータの駆動電流を可変とすることを特徴とするドットプリンタの紙送り制御方法。.
【発明の詳細な説明】
【技術分野】
【０００１】
本発明は、ドットラインプリンタの紙送り制御方法に関するものである。
【背景技術】
【０００２】
図２に、ドットプリンタの印字機構の概略を示す。
【０００３】
印字素子を有するハンマ機構部1は、図示していないシャトル機構部により、桁方向に往復運動する。また、ハンマ機構部1は、インクリボン２と印字用紙３とを間に挟み、印字力を支持するためのプラテン４と対向した状態で配置されていて、ハンマ機構部1が往復運動している状態で印字素子が適時駆動される毎にドットマトリクスの形で文字、図形等が印字用紙３に印字される。印字用紙３は、その過程で適時、紙送りモータ８を用いた紙送り機構部９により行方向に送られる。
【０００４】
通常、ドットプリンタは複写用紙といった特殊用紙にも対応するため、上記紙送りモータ８の駆動電流は、搬送負荷の大きい特殊用紙に合わせて設定されている。
【０００５】
このため、搬送負荷の小さな通常用紙に印刷する場合は、必要以上に電力が消費されているが、従来のドットプリンタにおいては、オプションの脱着による負荷変動により、紙送りモータ８の駆動電流を可変とさせるものがある（例えば、特許文献１参照）。
【０００６】
【特許文献１】特開２００３―２７６２５８号公報
【発明の開示】
【発明が解決しようとする課題】
【０００７】
上述のように、多種多様な用紙を使用するドットプリンタにおいては、用紙負荷の大きい特殊用紙にも対応するため、通常用紙印刷時は必要以上の電力を消費して用紙搬送を行っており、ドットプリンタの消費電力および紙送りモータの発熱を必要以上に増大させていた。
【０００８】
本発明の目的は、上記した課題を克服し、消費電力を減少させ、且つ紙送りモータの発熱を抑える制御方法を提供することにある。
【課題を解決するための手段】
【０００９】
上記した課題を解決するため、本発明では、複数個の印字素子を搭載したハンマ機構部と、ハンマ機構部を桁方向に往復移動させるためのシャトル機構と、使用する印字用紙の厚さを設定するノブおよび設定されたノブ位置を感知する機構と、印字用紙を搬送する少なくとも１対のトラクタとトラクタを保持し駆動させるトラクタ駆動軸およびトラクタ駆動軸を回転させる動力を与える紙送りモータを有するドットプリンタにおいて、上記使用する印字用紙の厚さを設定するノブの設定値により紙送りモータの駆動電流を可変とすることを特徴とする。.
【発明の効果】
【００１０】
特殊用紙まで対応する紙送りモータの駆動電流と、用紙搬送負荷の小さな通常用紙に対応した紙送りモータの駆動電流とを用意し切り替えることで、従来、通常用紙を印刷していた時に必要以上に消費していた電力を削減し、紙送りモータの発熱を低減することが可能となる。
【発明を実施するための最良の形態】
【００１１】
図１を用いて本発明について説明する。
【００１２】
印字素子の打撃力を支持するプラテン４は、ハンマ機構部1と対向する位置に配置されており、偏芯カム５により、プラテン４とハンマ機構部1間のギャップが調整可能な構成となっている。
【００１３】
偏芯カム５の位相は、シャフトを介してノブ６により設定できるようになっており、使用する印字用紙３の種類により、ノブ６を時計方向または反時計方向に回転させ、プラテン４とハンマ機構部1間のギャップを調整して印刷を行うようになっている。
【００１４】
なお、使用する印字用紙３が用紙搬送負荷の大きな特殊用紙の場合はノブ６を時計方向に回転させ、プラテン４とハンマ機構部1間のギャップを広くして印刷を行う。
【００１５】
また、ノブ６には偏芯カム５の位相を感知して、特殊用紙であるか否かを判定するための光学式センサ７が設けられており、偏芯カム５の位相が、プラテン４とハンマ機構部1間のギャップがある一定以上であると検知された場合には、特殊用紙と判定するようになっている。
【００１６】
本発明の紙送り制御では、従来より使用されていた紙送りモータ駆動電流と、通常用紙に対応した紙送りモータ駆動電流とが用意されており、上記光学式センサ７で特殊用紙でないと判定した場合のみ、通常用紙に対応した紙送りモータ駆動電流とすることで、従来、必要以上に消費していた電力の削減と、紙送りモータの発熱を抑えることが可能となる。
【図面の簡単な説明】
【００１７】
【図１】本発明の実施例を示す要部断面図である。
【図２】一般的なドットプリンタの全体構成を示す斜視図である。
【符号の説明】
【００１８】
1はハンマ機構部、2はインクリボン、３は印字用紙、４はプラテン、５は偏芯カム、
６はノブ、７は光学式センサ、８は紙送りモータ、９は紙送り機構部である。
【図１】
2006044147.tif 000003
【図２】
2006044147.tif 000004